(57)【要約】【課題】綴じ紐部による締めが緩んでいる場合に、再締め込みを行うことで緩みを解消することが可能な綴込具を提供することを課題とする。【解決手段】第二基部２０に固定された綴じ紐部５０が、被綴込物９１及び第一基部１０の開通部１１に順に通った状態で第一基部１０と第二基部２０との間に被綴込物９１を保持し、綴じ紐部５０の第一基部１０の有する開通部１１から出ている部分のうち少なくとも一部を押さえ部３０で第一基部１０上に押さえつけるとともに、噛合部３１と被噛合部５１とを噛み合わせて噛合状態とすることで綴じ紐部５０を固定し、綴じ紐部５０が押さえつけられた状態で、綴じ紐部５０に綴じ紐部５０を移動させようとする力が加えられると、噛合部３１が弾性的に変形して噛合状態を解除することで、綴じ紐部５０による再締め込みを可能とした。【選択図】図２
2008100492.tif 000002
【特許請求の範囲】
【請求項１】
表面と裏面とを繋ぐ開通部を有する第一基部と、
前記第一基部に対応する第二基部と、
凹凸からなる被噛合部を有する紐状の綴じ紐部と、
前記綴じ紐部の有する被噛合部に対応する凹凸からなる噛合部を有する押さえ部と、
前記第二基部に固定された前記綴じ紐部が、該綴じ紐部の前記第二基部に固定されていない一端から被綴込物及び前記第一基部の開通部に順に通った状態で、前記第一基部と前記第二基部との間に被綴込物を保持する被綴込物保持手段と、
前記被綴込物保持手段によって被綴込物が保持された状態で、該綴じ紐部の前記第一基部の有する開通部から出ている部分のうち少なくとも一部を前記押さえ部で前記第一基部上に押さえつけるとともに、前記噛合部と前記被噛合部とを噛み合わせて噛合状態とすることで前記綴じ紐部を固定する綴じ紐部固定手段と、
前記綴じ紐部固定手段によって前記綴じ紐部が押さえつけられた状態で、前記綴じ紐部に該綴じ紐部を移動させようとする力が加えられると、前記噛合部が弾性的に変形することで前記噛合状態を解除する噛合状態解除手段と、
を備える綴込具。
【請求項２】
前記押さえ部は、前記噛合部の周囲に、該噛合部を弾性的に可動とするための切り欠きを有し、
前記噛合状態解除手段は、前記綴じ紐部固定手段によって前記綴じ紐部が押さえつけられた状態で、前記綴じ紐部に該綴じ紐部を移動させようとする力が加えられると、前記噛合部が前記切り欠きによって該噛合部の周囲から独立して弾性的に変形することで前記噛合状態を解除し、前記綴じ紐部による再締め込みを可能とする請求項１に記載の綴込具。
【請求項３】
前記押さえ部は、前記噛合部の周囲に、該噛合部を弾性的に可動とするための薄肉部を有し、
前記噛合状態解除手段は、前記綴じ紐部固定手段によって前記綴じ紐部が押さえつけられた状態で、前記綴じ紐部に該綴じ紐部を移動させようとする力が加えられると、前記噛合部が前記薄肉部によって該噛合部の周囲から独立して弾性的に変形することで前記噛合状態を解除し、前記綴じ紐部による再締め込みを可能とする請求項１に記載の綴込具。
【請求項４】
前記開通部は、更に前記第一基部の側面を繋ぎ、前記綴じ紐部を側面方向から該開通部に挿入することで該綴じ紐部を該開通部に通すことを可能とする請求項１から請求項３の何れかに記載の綴込具。
【請求項５】
前記第一基部は、前記開通部に挿入された前記綴じ紐部が側面方向へ抜けることを防止する凸部を更に有する請求項４に記載の綴込具。
【請求項６】
前記押さえ部と前記第一基部を連結する連結部を更に備え、
前記連結部は、該連結部の表面と裏面とを繋ぐ開通部又は該連結部のうち周辺よりも厚さの薄い薄肉部を有する請求項１から請求項５の何れかに記載の綴込具。
【請求項７】
前記第一基部は、前記綴じ紐部の先端側を収納する溝を有し、
前記溝は、該溝の内側側面に収納された綴じ紐部に接触する突起を有する請求項１から請求項６の何れかに記載の綴込具。
【請求項８】
請求項１から請求項７の何れかに記載の綴込具と、
前記綴込具の有する前記第一基部に設けられる表表紙と、
前記綴込具の有する前記第二基部に設けられる裏表紙と、
を備えるファイリング用具。
【請求項９】
ヒンジ部を更に有し、
前記表表紙は、前記第一基部に前記ヒンジ部を介して設けられ、
前記裏表紙は、前記第二基部に前記ヒンジ部を介して設けられる、
請求項８に記載のファイリング用具。
【請求項１０】
前記表表紙は、前記第一基部に接着又は溶着されることによって、前記第一基部に設けられ、
前記裏表紙は、前記第二基部と一体成型であることで、前記第二基部に設けられる、
請求項８に記載のファイリング用具。
【請求項１１】
前記表表紙または前記裏表紙は前記ファイリング用具の背面方向に開口した袋状であり、
前記ファイリング用具の背面に設けられる背表紙であって、該背表紙の一部が前記袋状の表表紙または裏表紙に挿入され、挿入される部分の長さを変更することで前記ファイリング用具の背幅を変更可能な背表紙を更に備える請求項８に記載のファイリング用具。
【発明の詳細な説明】
【技術分野】
【０００１】
本発明は、綴込具及び該綴込具を用いたファイリング用具に関する。
【背景技術】
【０００２】
従来、書類等の被綴込物を綴じ込む装置として、台板に設けられた綴じ紐部を、被綴込物及び蓋板の挿通孔に通して、蓋板に設けられた押止部材で押止する綴込装置（特許文献１及び特許文献２を参照）がある。さらに、同様の綴込装置において余った綴じ紐部を溝の間に係止する綴込装置がある（特許文献３を参照）。
【０００３】
また、表紙をヒンジ部品で連結した収納具として、折曲部の被綴込物の厚みに相当する幅の部分を、可撓性を有するプラスチック材料等で形成したことを特徴とする収納具がある（特許文献４を参照）。
【特許文献１】実開昭５０−７２３１５号公報
【特許文献２】実開平３−４５１８４号公報
【特許文献３】実開平５−４７６号公報
【特許文献４】実開昭４８−６５３１２号公報
【特許文献５】実開昭６１−１８３６８７号公報
【特許文献６】実開平６−７５７７９号公報
【特許文献７】登録実用新案第３０５４０９０号公報
【特許文献８】米国特許第５７２０５６５号明細書
【発明の開示】
【発明が解決しようとする課題】
【０００４】
従来、綴じ紐を通す孔が２つ設けられた綴込基部と表紙部とを布テープ等で連結した、いわゆる綴込表紙に、綴じ紐を用いて書類等の被綴込物を綴じ込み、綴じ紐を結んで固定する綴込方法がある。しかし、綴じ紐を用いた方法には、綴込時に綴じ紐が緩まないように綴じ込むことが難しいという問題や、被綴込物の重量等が原因となり、時間の経過とともに綴じ紐が緩んでしまうという問題がある。
【０００５】
また、同様の綴込方法として、樹脂製の綴じ紐部を用いて書類等の被綴込物を綴じ込み、押止部材で押止する綴込方法があるが、これについても同様に、綴込時に綴じ紐部が緩まないように綴じ込むことが難しいという問題や、時間の経過とともに綴じ紐部が緩んでしまうという問題がある。
【０００６】
本発明は、上記した問題に鑑み、綴じ紐部による締めが緩んでいる場合に、再締め込みを行うことで緩みを解消することが可能な綴込具を提供することを課題とする。
【課題を解決するための手段】
【０００７】
本発明は、上記した課題を解決するために、綴じ紐部を押さえつけと噛み合わせとで固定し、綴じ紐部を押さえつけた状態の噛み合わせの解除を可能とすることで、綴じ紐部による締めが緩んでいる場合に、再締め込みを行うことで緩みを解消することを可能にした。
【０００８】
詳細には、本発明は、表面と裏面とを繋ぐ開通部を有する第一基部と、前記第一基部に対応する第二基部と、凹凸からなる被噛合部を有する紐状の綴じ紐部と、前記綴じ紐部の有する被噛合部に対応する凹凸からなる噛合部を有する押さえ部と、前記第二基部に固定された前記綴じ紐部が、該綴じ紐部の前記第二基部に固定されていない一端から被綴込物
及び前記第一基部の開通部に順に通った状態で、前記第一基部と前記第二基部との間に被綴込物を保持する被綴込物保持手段と、前記被綴込物保持手段によって被綴込物が保持された状態で、該綴じ紐部の前記第一基部の有する開通部から出ている部分のうち少なくとも一部を前記押さえ部で前記第一基部上に押さえつけるとともに、前記噛合部と前記被噛合部とを噛み合わせて噛合状態とすることで前記綴じ紐部を固定する綴じ紐部固定手段と、前記綴じ紐部固定手段によって前記綴じ紐部が押さえつけられた状態で、前記綴じ紐部に該綴じ紐部を移動させようとする力が加えられると、前記噛合部が弾性的に変形することで前記噛合状態を解除する噛合状態解除手段と、を備える綴込具である。
【０００９】
綴じ紐部は、押さえつけ及び噛み合わせによって固定される。このとき、綴じ紐部に該綴じ紐部を移動させようとする力が加えられると、押さえつけ状態は維持されたまま、噛合部が弾性的に変形して噛合状態が解除される。即ち、綴じ紐部は押さえつけられた状態でスライドすることが可能となる。ここで、綴じ紐部を移動させようとする力を加えることを中止すると、弾性的に変形していた噛合部は変形から復帰し、再び噛み合わせが行われる。即ち、押さえつけ及び噛み合わせによる固定が行われている状態に復帰し、綴じ紐部は再び固定され、再締め込みが完了する。
【００１０】
また、前記押さえ部は、前記噛合部の周囲に、該噛合部を弾性的に可動とするための切り欠きを有し、前記噛合状態解除手段は、前記綴じ紐部固定手段によって前記綴じ紐部が押さえつけられた状態で、前記綴じ紐部に該綴じ紐部を移動させようとする力が加えられると、前記噛合部が前記切り欠きによって該噛合部の周囲から独立して弾性的に変形することで前記噛合状態を解除し、前記綴じ紐部による再締め込みを可能としてもよい。
【００１１】
また、前記押さえ部は、前記噛合部の周囲に、該噛合部を弾性的に可動とするための薄肉部を有し、前記噛合状態解除手段は、前記綴じ紐部固定手段によって前記綴じ紐部が押さえつけられた状態で、前記綴じ紐部に該綴じ紐部を移動させようとする力が加えられると、前記噛合部が前記薄肉部によって該噛合部の周囲から独立して弾性的に変形することで前記噛合状態を解除し、前記綴じ紐部による再締め込みを可能としてもよい。
【００１２】
噛合部の周囲に切り欠き又は薄肉部を設けることで、噛合部が弾性変形しようとする際に周囲から受ける力が小さくなり、噛合部の弾性変形を可能としている。噛合部が弾性変形することにより噛合状態が解除され、再締め込みが可能となる。
【００１３】
また、前記開通部は、更に前記第一基部の側面を繋ぎ、前記綴じ紐部を側面方向から該開通部に挿入することで該綴じ紐部を該開通部に通すことを可能としてもよい。
【００１４】
開通部が第一基部の表面と裏面とに加えて更に側面を繋ぐことで、綴じ紐部を開通部に通す方法として、綴じ紐部を開通部に先端から挿入する方法の他に、綴じ紐部を開通部に側面方向から挿入する方法を採用することが可能となる。綴じ紐部が側面から挿入可能であることで、先端から通して第一基部を長い距離移動させる必要がなく、簡易に綴じ紐部を開通部に通すことが可能となる。
【００１５】
また、前記第一基部は、前記開通部に挿入された前記綴じ紐部が側面方向へ抜けることを防止する凸部を更に有してもよい。
【００１６】
第一基部が抜け防止の凸部を有することで、綴じ紐部の側面からの挿入を可能とするために開通部の側面が開口している場合でも、挿入された綴じ紐部が容易に側面方向へ抜けてしまうことを防止することが可能となる。
【００１７】
また、本発明に係る綴込具は、前記押さえ部と前記第一基部を連結する連結部を更に備
え、前記連結部は、該連結部の表面と裏面とを繋ぐ開通部又は該連結部のうち周辺よりも厚さの薄い薄肉部を有してもよい。
【００１８】
押さえ部と第一基部を連結部で連結する場合、ここに開通部又は薄肉部を設けることで、連結部を中心に折り曲げを行う際の、折り曲げ易さを調節することが可能となる。
【００１９】
また、前記第一基部は、前記綴じ紐部の先端側を収納する溝を有し、前記溝は、該溝の内側側面に収納された綴じ紐部に接触する突起を有してもよい。
【００２０】
綴じ紐部固定手段によって綴じ紐部が固定されている状態で、綴じ紐部の余った部分が邪魔になることがある。このとき、綴じ紐部の余った部分を溝に収納し、突起を用いて係止することで、全体の見た目をすっきりとさせることが可能となり、綴じ紐部の余り部分が邪魔になることもない。
【００２１】
また、本発明は、先述の綴込具と、前記綴込具の有する前記第一基部に設けられる表表紙と、前記綴込具の有する前記第二基部に設けられる裏表紙と、を備えるファイリング用具である。
【００２２】
ファイリング用具に先述の綴込具を備えることで、綴じ紐部による締めが緩んでいる場合に、再締め込みを行うことで緩みを解消することが可能なファイリング用具を提供することが可能となる。
【００２３】
また、本発明に係るファイリング用具は、ヒンジ部を更に有し、前記表表紙は、前記綴込具の有する前記第一基部と前記ヒンジ部を介して連結され、前記裏表紙は、前記綴込具の有する前記第二基部と前記ヒンジ部を介して連結されてもよい。
【００２４】
ヒンジ部を介して基部と表紙を連結することで、従来からある、綴じ紐を通す孔が２つ設けられた綴込基部と表紙部とを布テープ等で連結した、いわゆる綴込表紙と同等の使用感を出すことが可能となる。
【００２５】
また、前記表表紙は、前記第一基部に接着又は溶着されることによって、前記第一基部に設けられ、前記裏表紙は、前記第二基部と一体成型であることで、前記第二基部に設けられてもよい。
【００２６】
溶着、接着、一体成型等の手段によって第一基部及び第二基部に表紙を設けることで、簡易に再締め込み可能なファイリング用具を製造し、提供することが可能となる。
【００２７】
また、前記表表紙または前記裏表紙は前記ファイリング用具の背面方向に開口した袋状であり、前記ファイリング用具の背面に設けられる背表紙であって、該背表紙の一部が前記袋状の表表紙または裏表紙に挿入され、挿入される部分の長さを変更することで前記ファイリング用具の背幅を変更可能な背表紙を更に備えてもよい。
【００２８】
なお、ファイリング用具をこのような構成とする場合、背幅を調節する際に、第一基部に挿入された綴じ紐部が側面方向へ抜けてしまわないように、開通部を側面方向に開口させないか、側面方向に開口させた上で、前記抜け防止の凸部を設けることが好ましい。
【発明の効果】
【００２９】
本発明によって、綴じ紐部による締めが緩んでいる場合に、再締め込みを行うことで緩みを解消することが可能な綴込具を提供することが可能となる。
【発明を実施するための最良の形態】
【００３０】
本発明に係る綴込具を備えたファイリング用具の実施の形態について、図面に基づいて説明する。
【００３１】
＜第一の実施形態＞
１．構成
図１は、本実施形態におけるファイリング用具９０の概要を示す図である。ファイリング用具９０は、第一基部１０、表表紙６０、第一基部１０と表表紙６０とを連結するヒンジ部４０、第二基部２０、裏表紙７０、第二基部２０と裏表紙７０とを連結するヒンジ部４０、押さえ部３０、第一基部１０と押さえ部３０とを連結する連結部８０（連結部８０については図２を参照）及び綴じ紐部５０を有する。ファイリング用具９０は、第一基部１０と第二基部２０との間に紙等の被綴込物９１（被綴込物９１については図９を参照）を保持し、ヒンジ部４０を用いて表表紙６０及び裏表紙７０を開閉することで被綴込物９１を閲覧可能とする収納具である。また、本実施形態において、第一基部１０、押さえ部３０、連結部８０及び綴じ紐部５０は樹脂製の部材である。
【００３２】
次に、図２から図６を用いて、ファイリング用具９０を構成する各部の詳細を説明する。図２は、本実施形態における第一基部１０、押さえ部３０及び連結部８０を示す図である。第一基部１０は、後述する綴じ紐部５０が通される開通部１１、綴じ紐部５０が収納される綴じ紐部収納溝１２、収納した綴じ紐部５０を係止する綴じ紐部係止突起１３、折り返し部１４、折り返し部１４を折り返すための折曲部１７、折曲部１７の曲げ易さを調整する強度調整孔１８、折り返し部１４を開通部１１側に折り返して固定する際の位置決めを行うための嵌合孔１５、嵌合孔１５に対応する嵌合突起１６及び押さえ部３０を開通部１１側に折り返して固定するための縁部１９を有する。連結部８０は、第一基部１０と押さえ部３０とを連結し、連結部８０の曲げ易さを調整する強度調整孔８１を有する。
【００３３】
押さえ部３０は、噛合部３１、切り欠き３２及び押さえ部３０を開通部１１側に折り返して固定するための爪部３３を有する。ここで、図３は、本実施形態における噛合部３１周辺（図２のＡ部）を示す拡大図である。噛合部３１は連続する凹凸からなる。なお、本実施形態では、後述する固定時の固定力と、再締め込みのし易さを考慮して、凸部の鋭角が外向きとなっているが（図３のＡ−Ａ断面を参照）、必ずしも鋭角である必要はなく、鋭角が本実施形態と同じ向きである必要もない。噛合部３１は、後述する被噛合部５１と噛み合う形状を有していれば足り、噛合部３１及び被噛合部５１の材質、大きさ等によって適宜最適な凹凸が形成されることが好ましい。
【００３４】
噛合部３１の両脇には、切り欠き３２が設けられている（図３のＢ−Ｂ断面を参照）。これは、後述する再締め込みにおいて、噛合部３１が周辺の押さえ部３０から独立して弾性的に変形できるようにするためのものである。なお、本実施形態では、噛合部３１が弾性変形するための手段として切り欠き３２を採用しているが、噛合部３１の周囲を他の部分よりも厚みの薄い薄肉部とする構成や、噛合部３１の周囲に他の部分よりも柔軟な材料を用いる構成等、実施の形態によって適宜噛合部３１の弾性変形を可能とする構成が採用されることが好ましい。
【００３５】
図４は、本実施形態における第二基部２０を示す図である。第二基部２０は、第一基部１０の開通部１１に対応する開通孔２１を有する。開通孔２１は、後述する綴じ紐部５０が通る大きさに形成されている。
【００３６】
図５は、本実施形態における綴じ紐部５０を示す図である。綴じ紐部５０は、被噛合部５１及び係止片５２を有する。被噛合部５１は、噛合部３１に対応する連続する凹凸からなる。なお、本実施形態では、後述する固定時の固定力と、再締め込みのし易さを考慮し
て、凸部の鋭角が内向きとなっているが、必ずしも鋭角である必要はなく、鋭角が本実施形態と同じ向きである必要もない。これは、先述した噛合部３１と同様である。係止片５２は、第二基部２０の開通孔２１に通らない大きさを有し、綴じ紐部５０を開通孔２１に通したときに、綴じ紐を開通孔２１の縁に係止する役割を果たす。
【００３７】
図６は、本実施形態におけるヒンジ部４０を示す図である。ヒンジ部４０は、押し出し成型によって製造され、材料が柔軟性を有することにより変形する可動部４３、第一基部１０又は第二基部２０を挟んで保持する基部挟持部４１と、表表紙６０又は裏表紙７０を挟んで保持する表紙挟持部４２と、を有する。
【００３８】
２．組立手順
次に、図７及び図８を用いて、ファイリング用具９０の組立手順を説明する。組立者は、第一基部１０の折り返し部１４を、折曲部１７を中心に曲げることで開通部１１側に折り返す（図７を参照）。ここで、折曲部１７は強度調整孔１８を有するため、組立者は折曲部１７を用いて容易に折り返し部１４を折り返すことが出来る。折り返し部１４を折り返すと、嵌合突起１６（図２を参照）が嵌合孔１５（図２を参照）に嵌り、折り返し部１４を開通部１１側に固定する際の位置が決定される。なお、本実施形態では、折り返し部１４を開通部１１側に固定する手段として接着又は溶着が採用されるが、接着、溶着以外の手段を採用してもよい。第一基部１０を生成する材質等に基づいて適宜最適な固定手段が採用されることが好ましい。
【００３９】
さらに、組立者は、連結部８０を中心に折り曲げることで、押さえ部３０の噛合部３１を有する面を第一基部１０に対して開いた状態とする。これは、後述する綴込手順において綴じ紐部５０が開通部１１を通るように、押さえ部３０を持ち上げておくためである。なお、連結部８０は強度調整孔８１を有するため、組立者は連結部８０を用いて容易に押さえ部３０を折り曲げることが出来る。
【００４０】
第一基部１０の組立後、組立者は、ヒンジ部４０を用いて第一基部１０と表表紙６０とを連結する（図８を参照）。基部挟持部４１は、第一基部１０の厚みよりも狭い間隔を有し、かつ弾性を有する素材からなることで、基部挟持部４１に押し込まれた第一基部１０を挟んで保持する。同様に、表紙挟持部４２は、表表紙６０の厚みよりも狭い間隔を有し、かつ弾性を有する素材からなることで、表紙挟持部４２に押し込まれた表表紙６０を挟んで保持する。また、本実施形態では、第一基部１０は基部挟持部４１に保持された状態で基部挟持部４１に接着又は溶着され、同様に表表紙６０は表紙挟持部４２に保持された状態で表紙挟持部４２に接着又は溶着される。但し、先述した折り返し部１４の固定手段と同様、接着、溶着以外の固定手段を採用してもよいし、接着又は溶着を行わず、挟んで保持するのみとしてもよい。
【００４１】
さらに、組立者は、他のヒンジ部４０を用いて第二基部２０と裏表紙７０とを連結する（図示は省略する）。連結方法は、先述した第一基部１０と表表紙６０とを連結する方法と同様である。第一基部１０と表表紙６０との連結、及び第二基部２０と裏表紙７０との連結に、材料が柔軟性を有することにより変形する可動部４３を有するヒンジ部４０を用いるすることで、従来からある、綴じ紐を通す孔が２つ設けられた綴込基部と表紙部とを布テープ等で連結した、いわゆる綴込表紙と同等の使用感を出すことが可能となる。以上の組立手順で、ファイリング用具９０の組立は完了する。
【００４２】
３．綴込手順
続いて、図９及び図１０を用いて、ファイリング用具９０を用いた被綴込物９１の綴込手順を説明する。ユーザは、綴じ紐部５０を、２本の綴じ紐部５０の噛合部３１が互いに向かい合う状態で第二基部２０の開通孔２１に挿入し、係止片５２が開通孔２１の縁に係
る位置まで奥に通す。これによって、綴じ紐部５０は、第二基部２０に固定される。次に、パンチ（穴あけ器）で綴じ孔を空けられた紙等の被綴込物９１と第一基部１０とを重ね、被綴込物９１の綴じ孔と第一基部１０の開通部１１との位置を合わせ、綴じ紐部５０を先端から被綴込物９１の綴じ孔及び開通部１１に順に通す（図９を参照）。ここで、開通部１１は第一基部１０の側面方向にも開口しているため、綴じ紐部５０を先端から開通部１１に挿入するのではなく、綴じ紐部５０を開通部１１の側面方向に開口した部分から横向きに挿入することにより、容易に綴じ紐部５０を開通部１１に通すことが出来る。
【００４３】
次に、ユーザは、第一基部１０と第二基部２０との間に被綴込物９１を挟んだ状態で綴じ紐部５０を引く。こうすることで、第一基部１０と第二基部２０との間に被綴込物９１が挟まれ、保持される。ユーザは、第一基部１０側に出た綴じ紐部５０を、綴じ紐部５０が開通部１１と接触する箇所で外側に折り曲げ（図１０を参照）、押さえ部３０を開通部１１側に倒して綴じ紐部５０を押さえつけ、被噛合部５１と噛合部３１を噛み合わせる（図１を参照）。押さえ部３０による押さえつけは、爪部３３が開通部１１側の縁部１９に係ることで維持される。押さえつけと噛み合わせが行われることで、綴じ紐部５０は第一基部１０と押さえ部３０との間に固定され、綴込が完了する。
【００４４】
また、綴じ紐部５０の先端側は、綴じ紐部収納溝１２に収納される（図１を参照）。このとき、綴じ紐部５０が綴じ紐部収納溝１２の内側側面に設けられた綴じ紐部係止突起１３と接触することで、綴じ紐部５０は綴じ紐部収納溝１２内に係止される。綴じ紐部５０の余った部分を綴じ紐部収納溝１２に収納し、綴じ紐部係止突起１３を用いて係止することで、全体の見た目をすっきりとさせることが可能となり、綴じ紐部の余り部分が邪魔になることもない。
【００４５】
４．再締め込み手順
次に、図１１を用いて、ファイリング用具９０に被綴込物９１を綴じ込んだ状態での再締め込み手順を説明する。図１１の（ａ）は、被噛合部５１が噛合部３１によって押さえつけられ、噛み合わされた状態の概略を示す図である。ユーザは、綴じ紐部収納溝１２に綴じ紐部５０が収納されている場合は、綴じ紐部５０を綴じ紐部収納溝１２より取り出す。この状態で、綴じ紐部５０を保持して綴じ紐部５０を第一基部１０の中心と反対方向、即ち、綴じ紐部５０を先端方向（図１１では右方向）に引くと、綴じ紐部５０からの力を受けて、噛合部３１が噛み合いを解除する方向へ弾性変形する。
【００４６】
図１１の（ｂ）は、噛合部３１が、綴じ紐部５０からの力を受けて弾性変形している状態の概略を示す図である。噛合部３１が弾性変形し、噛み合いが解除されることで、綴じ紐部５０は押さえつけられた状態のまま移動可能となる。その後、綴じ紐部５０を引くことを中止すると、弾性変形した噛合部３１は図１１の（ａ）に示す状態に復帰し、再び綴じ紐部は押さえ付けと噛み合わせによって固定される。
【００４７】
本実施形態に拠れば、綴じ紐部５０が緩んでいる場合に、再締め込みを行うことで緩みを解消することが可能なファイリング用具９０を提供することが可能となる。加えて、再締め込み時に、噛合部３１が噛み合いを解除する方向へ弾性変形することから、再締め込み時の噛合部３１及び被噛合部５１の磨耗を防止することが可能である。
【００４８】
＜第二の実施形態＞
図１２は、第二の実施形態におけるファイリング用具９０Ｂの概要を示す図である。ファイリング用具９０Ｂは、第一基部１０、表表紙６０Ｂ、第二基部２０Ｂ、裏表紙７０Ｂ、押さえ部３０、第一基部１０と押さえ部３０とを連結する連結部８０及び綴じ紐部５０を有する。ヒンジ部を介して表表紙６０及び裏表紙７０が設けられていた第一の実施形態と異なり、本実施形態では、表表紙６０Ｂは第一基部１０に直接溶着又は接着され、裏表
紙７０Ｂは第二基部２０Ｂと一体成型されている。このような構成とすることで、簡易に再締め込み可能なファイリング用具を製造し、提供することが可能となる。
【００４９】
＜第三の実施形態＞
図１３は、第三の実施形態におけるファイリング用具９０Ｃの概要を示す図である。ファイリング用具９０Ｃは、第一基部１０、袋状の表表紙６０Ｃ、この袋状の表表紙６０Ｃの内部に挿入される背表紙７１、第二基部２０Ｃ、裏表紙７０Ｃ、押さえ部３０、第一基部１０と押さえ部３０とを連結する連結部８０及び綴じ紐部５０を有する。即ち、袋状の表表紙６０Ｃ内で背表紙７１をスライドさせることで、簡易に背幅を調整することが可能である。また、背表紙７１は第一基部１０に固定されている。例えば、第一基部の裏面にフック９８を設け、表表紙６０Ｃに穴を設けて、この穴とフック９８とを係止させることで、背表紙７１を第一基部１０に固定することとしてもよい（図１４を参照）。このような構成とすることで、簡易に背幅を調整可能なファイリング用具を製造し、提供することが可能となる。
【００５０】
図１５は、第三の実施形態における第一基部１０、押さえ部３０及び連結部８０を示す図である。第一基部１０は、先述の第一または第二の実施形態における第一基部１０の構成に加え、更に凸部９９を有する。凸部９９は、開通部１１に挿入された綴じ紐部５０が、側面方向へ容易に抜けてしまうことを防止する。即ち、開通部１１が第一基部１０の側面方向にも開口した上で凸部９９を有することで、容易に綴じ紐部５０を開通部１１に通すことが可能となり、更に、袋状の表表紙６０Ｃ内で背表紙７１をスライドさせて背幅を調整する際に、綴じ紐部５０が凸部９９に係ることで、誤って綴じ紐部５０が側面方向に抜けてしまうことを防止することが可能となる。なお、上述の他の実施形態と異なり、本実施形態における第一基部１０、押さえ部３０及び連結部８０では、折り返し部１４等が省略され、全体として細く形成されている。このような構成とすることで、ファイリング用具の組立時に、折り返し部１４を開通部１１側に折り返す手順（図７を参照）が不要となり、より簡易に再締め込み可能なファイリング用具を製造し、提供することが可能となる。
【００５１】
なお、綴じ紐部５０は、挿入された状態で第一基部１０の中心から見て外側へ倒される（図１３を参照）。このため、凸部９９は、開通部１１の内側面のうち、第一基部１０の中心から見て外側寄りの内側面に設けられることが好ましい（図１５を参照）。このような構成とすることで、ユーザが、外側に倒された綴じ紐部５０を内側に起こす操作を行わなければ、綴じ紐部５０が側面方向へ抜けないようにすることが可能である。
【図面の簡単な説明】
【００５２】
【図１】実施形態におけるファイリング用具の概要を示す図である。
【図２】実施形態における第一基部、押さえ部及び連結部を示す図である。
【図３】実施形態における噛合部周辺を示す拡大図である。
【図４】実施形態における第二基部を示す図である。
【図５】実施形態における綴じ紐部を示す図である。
【図６】実施形態におけるヒンジ部を示す図である。
【図７】実施形態におけるファイリング用具の組立手順を示す図である。
【図８】実施形態におけるファイリング用具の組立手順を示す図である。
【図９】実施形態におけるファイリング用具を用いた被綴込物の綴込手順を示す図である。
【図１０】実施形態におけるファイリング用具を用いた被綴込物の綴込手順を示す図である。
【図１１】実施形態におけるファイリング用具に被綴込物を綴じ込んだ状態での再締め込み手順を示す図である。
【図１２】実施形態におけるファイリング用具の概要を示す図である。
【図１３】実施形態におけるファイリング用具の概要を示す図である。
【図１４】実施形態における第一基部、押さえ部及び連結部を裏面から見た状態を示す図である。
【図１５】実施形態における第一基部、押さえ部及び連結部を示す図である。
【符号の説明】
【００５３】
１０  第一基部
１１  開通部
１２  綴じ紐部収納溝
１３  綴じ紐部係止突起
１４  折り返し部
１５  嵌合孔
１６  嵌合突起
１７  折曲部
１８  強度調整孔
２０  第二基部
２１  開通孔
３０  押さえ部
３１  噛合部
３２  切り欠き
４０  ヒンジ部
４１  基部挟持部
４２  表紙挟持部
４３  可動部
５０  綴じ紐部
５１  被噛合部
５２  係止片
６０  表表紙
７０  裏表紙
８０  連結部
８１  強度調整孔
９０  ファイリング用具
９１  被綴込物
９８  フック
９９  凸部
【図１】
2008100492.tif 000003
【図２】
2008100492.tif 000004
【図３】
2008100492.tif 000005
【図４】
2008100492.tif 000006
【図５】
2008100492.tif 000007
【図６】
2008100492.tif 000008
【図７】
2008100492.tif 000009
【図８】
2008100492.tif 000010
【図９】
2008100492.tif 000011
【図１０】
2008100492.tif 000012
【図１１】
2008100492.tif 000013
【図１２】
2008100492.tif 000014
【図１３】
2008100492.tif 000015
【図１４】
2008100492.tif 000016
【図１５】
2008100492.tif 000017